(57)【特許請求の範囲】
【請求項１】
合成樹脂発泡体製の断熱板に対してコンクリート躯体内に埋設する貫通孔形成スリーブを固定するスリーブ固定具であって、
前記断熱板に固定するための固定部と前記スリーブの開口端に取着される取着部とを備え、
前記固定部は、前記断熱板に突き刺さる突刺部と、前記断熱板に突き刺された突刺部の抜け出しを防止すべく前記断熱板に喰い込む喰込部と、を有し、
前記喰込部は、前記スリーブの開口端の外形範囲内に収まるように構成されていることを特徴とするスリーブ固定具。
【請求項２】
合成樹脂発泡体製の断熱板に対してコンクリート躯体内に埋設する貫通孔形成スリーブを固定するスリーブ固定具であって、
前記断熱板に固定するための固定部と前記スリーブの開口端に取着される取着部とを備え、
前記固定部は、前記断熱板に突き刺さる突刺部と、前記断熱板に突き刺された突刺部の抜け出しを防止すべく前記断熱板に喰い込む喰込部と、を有し、
前記取着部は、前記スリーブの周壁内側に配置される内側片と、前記スリーブの周壁外側に配置される外側片と、を備え、前記固定部が前記開口端から突出するように前記スリーブの開口端に取着されるものであり、
前記突刺部は板状に形成されて、前記外側片と同一平面上となるように構成され、前記喰込部は、前記突刺部から内側片側に向けて突出形成されていることを特徴とするスリーブ固定具。
【請求項３】
請求項１に記載のスリーブ固定具と、コンクリート躯体内に埋設されて貫通孔を形成するスリーブと、からなり、合成樹脂発泡体製の断熱板上に打設されるコンクリート躯体内に埋設される前記スリーブを前記断熱板に固定したスリーブ固定構造であって、
前記突刺部が前記断熱板に突き刺されているとともに、前記取着部によりスリーブ端部に取着されて、前記断熱板上に前記スリーブが垂直に立設され、前記喰込部は、前記スリーブの開口端の外形範囲内に収まる位置で前記断熱板に喰い込んでいることを特徴とするスリーブ固定構造。
【請求項４】
請求項２に記載のスリーブ固定具と、コンクリート躯体内に埋設されて貫通孔を形成するスリーブと、からなり、合成樹脂発泡体製の断熱板上に打設されるコンクリート躯体内に埋設される前記スリーブを前記断熱板に固定したスリーブ固定構造であって、
複数の前記スリーブ固定具がそれぞれ前記取着部によりスリーブ端部に間隔をあけて取着されているとともに、前記突刺部が前記断熱板に突き刺されて、前記断熱板上に垂直に立設されていることを特徴とするスリーブ固定構造。
【発明の詳細な説明】
【技術分野】
【０００１】
本発明は、コンクリート壁に貫通穴を形成するための両端に開口した中空筒状の貫通孔形成スリーブを、合成樹脂発泡体製の断熱板に固定するためのスリーブ固定具に関する。
【背景技術】
【０００２】
コンクリート壁には、配線・配管材を通すための貫通孔が必要とされる場合があり、その際、ボイド管とも通称される両端に開口した中空筒状の貫通孔形成スリーブを、コンクリートの打設前にスリーブ固定具によって型枠に固定しておき、コンクリートの打設・固化が完了した後、型枠を取り除くととともに、スリーブ固定具が除去される。
【０００３】
特許文献１では、型枠に釘で固定されて、型枠に対してしっかりと貫通孔形成スリーブを固定することができるスリーブ固定具が提案されている。
【０００４】
ところで、コンクリート壁を構築する際に使用される断熱板を型枠兼用として型枠の撤去作業を不要化する型枠兼用断熱板が提案されている（特許文献２）。
【０００５】
特許文献２に示された型枠兼用断熱板を使用してコンクリート壁を形成する際には、特許文献１のスリーブ固定具ではしっかりと固定できない問題があった。すなわち、型枠兼用断熱板は発泡プラスチック製であって、釘を打ち込んでもしっかりと固定できず、簡単に抜け出てしまって、コンクリート打設圧に耐えられずスリーブが大きく傾いてしまい、適正な貫通孔を形成できない問題があった。
【先行技術文献】
【特許文献】
【０００６】
【特許文献１】特開２０１０−１７４５２５号公報
【特許文献２】特開平３−２０８９４４号公報
【発明の概要】
【発明が解決しようとする課題】
【０００７】
本発明は、上記問題を解決しようとするもので、合成樹脂発泡体製の断熱板に対してスリーブをしっかり固定できるスリーブ固定具を提供することを目的としている。
【課題を解決するための手段】
【０００８】
請求項１記載のスリーブ固定具は、合成樹脂発泡体製の断熱板に対してコンクリート躯体内に埋設する貫通孔形成スリーブを固定するスリーブ固定具であって、前記断熱板に固定するための固定部と前記スリーブの開口端に取着される取着部とを備え、前記固定部は、前記断熱板に突き刺さる突刺部と、前記断熱板に突き刺された突刺部の抜け出しを防止すべく前記断熱板に喰い込む喰込部と、を有することを特徴とする。
【０００９】
請求項１記載のスリーブ固定具は、さらに、前記喰込部は、前記スリーブの開口端の外形範囲内に収まるように構成されていることを特徴とする。
【００１０】
請求項２記載のスリーブ固定具は、合成樹脂発泡体製の断熱板に対してコンクリート躯体内に埋設する貫通孔形成スリーブを固定するスリーブ固定具であって、前記断熱板に固定するための固定部と前記スリーブの開口端に取着される取着部とを備え、前記固定部は、前記断熱板に突き刺さる突刺部と、前記断熱板に突き刺された突刺部の抜け出しを防止すべく前記断熱板に喰い込む喰込部と、を有し、前記取着部は、前記スリーブの周壁内側に配置される内側片と、前記スリーブの周壁外側に配置される外側片と、を備え、前記固定部が前記開口端から突出するように前記スリーブの開口端に取着されるものであり、前記突刺部は板状に形成されて、前記外側片と同一平面上となるように構成され、前記喰込部は、前記突刺部から内側片側に向けて突出形成されていることを特徴とする。
【００１１】
請求項３記載のスリーブ固定構造は、、請求項１に記載のスリーブ固定具と、コンクリート躯体内に埋設されて貫通孔を形成するスリーブと、からなり、合成樹脂発泡体製の断熱板上に打設されるコンクリート躯体内に埋設される前記スリーブを前記断熱板に固定したスリーブ固定構造であって、前記突刺部が前記断熱板に突き刺されているとともに、前記取着部によりスリーブ端部に取着されて、前記断熱板上に前記スリーブが垂直に立設され、前記喰込部は、前記スリーブの開口端の外形範囲内に収まる位置で前記断熱板に喰い込んでいることを特徴とする。
【００１２】
請求項４記載のスリーブ固定構造は、請求項２に記載のスリーブ固定具と、コンクリート躯体内に埋設されて貫通孔を形成するスリーブと、からなり、合成樹脂発泡体製の断熱板上に打設されるコンクリート躯体内に埋設される前記スリーブを前記断熱板に固定したスリーブ固定構造であって、複数の前記スリーブ固定具がそれぞれ前記取着部によりスリーブ端部に間隔をあけて取着されているとともに、前記突刺部が前記断熱板に突き刺されて、前記断熱板上に垂直に立設されていることを特徴とする。
【発明の効果】
【００１３】
本発明によれば、合成樹脂発泡体製の断熱板に対してスリーブを安定して固定することができる。
【図面の簡単な説明】
【００１４】
【図１】第１実施形態のスリーブ固定具１の斜視図である。
【図２】第１実施形態のスリーブ固定具１を貫通孔形成スリーブＰに取着した図である。
【図３】第１実施形態のスリーブ固定具１を用いて貫通孔形成スリーブＰを断熱板Ｂに立設させた状態を示す図である。
【図４】（Ａ）は貫通孔形成スリーブＰを立設した断熱板Ｂ上にコンクリート躯体Ｃを打設した状態、（Ｂ）はコンクリート打設後に貫通孔形成スリーブＰを撤去した状態、（Ｃ）は断熱板をくり抜いて貫通孔が形成された状態、をそれぞれ示す図である。
【図５】第２実施形態のスリーブ固定具１の固定体３´の斜視図である。
【図６】第２実施形態のスリーブ固定具１の取着体２´の斜視図である。
【図７】第２実施形態の使用状態を示す図である。
【発明を実施するための形態】
【００１５】
（第１実施形態）
以下、本発明を具体化した第１の実施形態を図１〜図４にしたがって説明する。
図３に示す符号１はスリーブ固定具であり、符号Pは貫通孔形成スリーブであり、中空筒状に形成され、例えば紙管や合成樹脂製のパイプによって形成される。また、符号Bは断熱板であり、合成樹脂発泡体で構成されているもので、例えば、ウレタン系樹脂、エチレン系樹脂、スチレン系樹脂、フェノール系樹脂、塩化ビニル系樹脂などの発泡体を板状に形成したものであり、上記特許文献２に開示されてるように型枠兼用断熱板として用いることができる。
【００１６】
スリーブ固定具１は、金属板をプレス成型したものであり、貫通孔形成スリーブPの開口端に取着される取着部２と、断熱板Bに固定するための固定部３とを備え、固定部３が貫通孔形成スリーブＰの開口端から突出するように貫通孔形成スリーブPに取着される。
【００１７】
固定部３は、断熱板に突き刺さる突刺部４と、突刺部４を断熱板Bに突き刺した状態で突刺部４の抜け出しを防止すべく断熱板Bに喰い込む喰込部５とを有する。より詳細に説明すると、突刺部４は先端に向けて先細りに形成された平板状を成しており、先端に向けて延びる途中位置に板状の喰込部５が後述する内側片６側に向けて切り起こし形成され、また、突刺部４の両側端は喰込部５の切り起こされた側に向けて屈曲した屈曲部３１が突刺部の先端に向けて延びる方向に沿って連続して形成されている。なお、符号Rは補強のリブである。
【００１８】
取着部２は対峙する内側片６と外側片７とからなり、貫通孔形成スリーブＰの開口端を内側と外側にそれぞれ配置されて挟み込んで開口端に取着される。内側片６は先端に傾斜する傾斜部６２が設けられ、傾斜部６２には内側片６の基端側に向けて突出する係止爪部６１が形成され、外側片７とともに挟み込んだ貫通孔形成スリーブＰの内側面に係止して貫通孔形成スリーブＰに強固に取着され、貫通孔形成スリーブＰからの離脱を防止している。また、外側片７には、貫通孔７１が形成され、係止爪部６１による係止のみでは取着力が不足である際に補助的にビス等を貫通孔形成スリーブＰに打ち込むことができる。なお、係止爪部６１や貫通孔はどちらか一方を有するものであってもよく、さらには両方を削除し内側片６と外側片７の挟持力のみで取着してもよい。
【００１９】
続いて、スリーブ固定具１を用いて断熱板Ｂに貫通孔形成スリーブＰを立設してコンクリート躯体内に埋設し、コンクリート躯体及び断熱板Ｂに貫通孔を形成する方法を説明する。図２に示すように、貫通孔形成スリーブＰの開口端に９０°間隔で４つのスリーブ固定具１を取着する。各スリーブ固定具１は、それぞれ固定部３が貫通孔形成スリーブＰの開口端から突出するように取着されており、また、各内側片６に形成された係止爪部６１がそれぞれ貫通孔形成スリーブＰの内面に係止している。
【００２０】
スリーブ固定具１が取着された貫通孔形成スリーブＰを予め敷設された断熱板Ｂのコンクリート打設される側にスリーブ固定具１の突刺部４を突き刺し貫通孔形成スリーブＰの開口端が断熱板Ｂにほぼ接触する程度まで押し込む。貫通孔形成スリーブＰの開口端は断熱板Ｂに近接しており、貫通孔形成スリーブＰ内へのコンクリートの侵入が規制される。
【００２１】
そして、貫通孔形成スリーブＰを断熱板Ｂ上に垂直に立設した後に、断熱板Ｂ上にコンクリートを打設してコンクリート床（コンクリート天井）を構築する。この時、断熱板Ｂに突き刺された固定部３から取着部２側へと突出した喰込部５が断熱板Ｂに逆止爪のように作用し、コンクリート打設圧に耐えることができる。すなわち、断熱板Ｂからの抜け出し方向に力がかかっても、４つのスリーブ固定具１の各喰込部５が断熱板Ｂに喰い込み、抜け出しを防止して、貫通孔形成スリーブＰの立設姿勢を維持することができる。
【００２２】
コンクリート躯体Ｃ内に貫通孔形成スリーブＰを埋設した後、貫通形成スリーブＰの断熱板Ｂ側と反対側の開口端から差し入れた工具の先端を傾斜部６２と貫通孔形成スリーブＰの内面との間に入れてこじるようにして、貫通孔形成スリーブＰの内側面に係止した係止爪部６１の係止状態を解除し、貫通孔形成スリーブＰをコンクリート躯体Ｃから引き抜く。これにより、断熱板Ｂ上に打設されたコンクリート躯体Ｃに貫通孔が形成されることとなる。また、貫通孔形成スリーブＰをスリーブ固定具１のみで立設しており、開口端以外の埋設される箇所を利用して立設させていないため、貫通孔形成スリーブＰを引き抜いて撤去した後に形成された貫通孔の内面はコンクリート面が連続するものとなり、鉄線等で開口端以外の埋設される箇所を結束固定した場合と比べて、錆水が出る等の問題が生じない。
【００２３】
続いて、形成された貫通孔に沿って断熱板Ｂをくり抜き、スリーブ固定具１を除去することで、コンクリート躯体Ｃ及び断熱板Ｂを貫通する貫通孔が形成できる。スリーブ固定具１の喰込部５は、断熱板Ｂのくり抜かれる箇所に喰い込んでいるため、断熱板Ｂをくり抜いたり、スリーブ固定具１を除去する際に断熱板Ｂの貫通孔周縁が欠ける等の損傷を防止できる。つまり、喰込部５は突刺部４から内側片６側に向けて突出形成されており、その喰い込み箇所は、貫通孔形成スリーブＰの開口端の外形範囲内に収まっている。結果、断熱板Ｂのくり抜かれる箇所に喰い込むこととなる。
【００２４】
なお、本実施形態においては４つのスリーブ固定具１を用いて貫通孔形成スリーブＰを固定したが、２つまたは３つ、あるいは、５つ以上のスリーブ固定具を用いて固定してもよく、スリーブ固定具は４つであることが必須ではない。
【００２５】
（第２実施形態）
次に、図５〜図７にしたがって本発明の第２実施形態を説明する。
図５に示す符号３´は断熱板に固定するための固定部（後述する突刺部４´と喰込部３´とを備えた固定部）を有する固定体であり、図６に示す符号２´は貫通孔形成スリーブの開口端に取着される取着体であり、第１実施形態では一体であったスリーブ固定具に対して、固定体３´と取着体２´との２部材によってスリーブ固定具を構成している。
【００２６】
固定体３´は、固定部としての断熱板に突き刺さる平板状の２つの突刺部４´を有し、各突刺部４´の先端は二股に分かれており、また、２つの突刺部４´は基端側で繋がれて一体となっている。そして、各突刺部４´の先端に向けて延びる途中位置に板状の喰込部５´が外側に向けて突出形成されている。
【００２７】
取着体２´は、有底円筒状に形成され、底部に固定体３´の各突刺部４´が挿通される２つの貫通孔８が形成され、円筒を成す周壁９は取着される貫通孔形成スリーブＰの内径よりも僅かに大きく形成され、周壁９の外面が貫通孔形成スリーブＰの開口端から圧入されて貫通孔形成スリーブＰの内面に取着される取着部を成している。
【００２８】
続いて第２実施形態のスリーブ固定具を用いて断熱板Ｂ上に貫通孔形成スリーブＰを立設してコンクリート躯体Ｃ内に埋設する方法を説明する。まず、貫通孔形成スリーブＰの開口端に取着体２´の周壁９を圧入して貫通孔形成スリーブＰの開口端と底壁外面とが面一となるまで挿入する。その後、断熱板Ｂに貫通孔形成スリーブＰの開口端および取着体２´の底壁外面を当接させ、固定体３´の突刺部４´を各貫通孔８に挿通し断熱板Ｂに突き刺す。各貫通孔８間に残された底壁を各突刺部４´の基端側の繋がれた箇所で断熱板Ｂに向けて押し付けて、断熱板Ｂから取着体２´が外れるのを防止して貫通孔形成スリーブＰを断熱板上に立設させられる。その後、コンクリートを打設し、貫通孔形成スリーブＰ及び固定体３´と取着体２´、貫通孔形成スリーブＰが形成したコンクリートの貫通孔と対応する箇所の断熱板Ｂを撤去して、コンクリート躯体Ｃ及び断熱板Ｂを貫通する貫通孔を形成する。
【００２９】
固定体３´の喰込部５´は、貫通孔形成スリーブＰの開口端の外形範囲内に収まっており、断熱板Ｂから固定体３´を除去する際に、断熱板Ｂが崩れるようなことがあっても、くり抜いて撤去する箇所であり、貫通孔周縁の断熱板Ｂに割れや欠けが生じにくい。また、本実施形態においては、複数のスリーブ固定具１を用いた第１実施形態と異なり１つのスリーブ固定具によって貫通孔形成スリーブＰが固定されている。
【００３０】
なお、各実施形態において、喰込部５（５´）は突刺部４（４´）から切り起こした逆止爪形状に構成されているが、引き抜かれる力がかかった際に、断熱板に喰い込めばどのような形状でも良い。
【００３１】
なお、各実施形態において、型枠兼用断熱板Ｂを用いてコンクリートを打設する例を示したが、木製やプラスチック製の型枠上に断熱板を設け、その断熱板に貫通孔形成スリーブを立設しても良い。この場合は、コンクリート打設後に型枠を撤去し、断熱板をくり抜いて貫通孔を形成する。
【００３２】
なお、各実施形態において、貫通孔形成スリーブＰは、コンクリート躯体Ｃ内から引き抜いて撤去したが、必ずしも撤去する必要はなく、そのままコンクリート躯体Ｃ内に埋設しておき、スリーブ固定具のみをくり抜く断熱板とともに撤去しても良い。
【００３３】
なお、各実施形態において、貫通孔形成スリーブＰの開口端に予めスリーブ固定具を取着して一体化してから断熱板Ｂに固定部３を突き刺したが、先に断熱板Ｂにスリーブ固定具１（第２実施形態においては固定体３´と取着体２´）を突き刺してから取着部２に貫通孔形成スリーブＰを取着して断熱板Ｂ上に貫通孔形成スリーブＰを立設しても良い。
【００３４】
なお、各実施形態において、貫通孔形成スリーブＰの埋設される側の端部にスリーブ固定具を取着したが、埋設されない側の開口端や端部ではない中間箇所に取着しても良い。また、各実施形態において、断熱板はコンクリート躯体側からくり抜いても、反対側からくり抜いても良い。貫通孔形成スリーブＰを撤去する際に、同時にスリーブ固定具を断熱板から強引に引き抜いて、その後に断熱板をくり抜いて貫通孔を形成しても良い。
【符号の説明】
【００３５】
１：スリーブ固定具、２：取着部、３：固定部、４：突刺部、５：喰込部、６：内側片、７：外側片、Ｐ：貫通孔形成スリーブ、Ｂ：断熱板
【図１】
0006373672.tif 000002
【図２】
0006373672.tif 000003
【図３】
0006373672.tif 000004
【図４】
0006373672.tif 000005
【図５】
0006373672.tif 000006
【図６】
0006373672.tif 000007
【図７】
0006373672.tif 000008